(57)【要約】      （修正有）【課題】貴金属の身飾品で、しなやかで、形状が人それぞれの身につける部位になじむ構造と機能を有している身飾品を提供する。更に途中で切れる事のない強度が有り、価値感が有り、人の肌にひっかからない、安心で、肌に直接つけても快適で安全な身飾品を提供する。【解決手段】複数本の貴金属の線材をあむ。次に、その外径に沿って、貴金属を巻きつけ、さらに手作業により形状を整える。【選択図】図１
2018140146.tif 000002
【特許請求の範囲】
【請求項１】
複数本の貴金属の線材を編み、その外径に沿って、貴金属を巻きつけ、さらに手作業により形状を整え、しなやかさと形状がなじむことを特徴とする貴金属身飾品の構造。
【発明の詳細な説明】
【技術分野】
【０００１】  この発明は、貴金属だけで、しなやかで、形状がなじむ、ことを特徴とする貴金属身飾品の構造に関するものである。
【背景技術】
【０００２】（イ）従来の貴金属  ネックレス、ブレスレット、アンクレットは、まれに高額品の手作りはあるが、大多数が、機械で作るチェーン構造であり、人間の首や胸元にしっくりなじむ、スポーツをしていても、動いてしまうので、人間の体になじむことが、なかった。
近年、表面だけ貴金属で、例えばそこにＫ１８、１５０と刻印を打っている商品があるが、その芯の部材は、貴金属ではなく、形状記憶合金であり、刻印の問題や消費者の認識等、価値的な問題がある。
また形状記憶合金を使った商品は、バネ性が高い、強いという欠点もある。
（ロ）従来の貴金属のリングは、手作りやキャスト製で作っても貴金属は固く、形状が指になじむことは、ありえなかった。
また、指に接する指なじみが良くない商品が、あったり、リングの変形などの欠点があった。
（ハ）貴金属で作った従来のペンダントヘッドや、ブローチ等は、形状が固定されていた。
その為にデザインのメインの飾りや、宝石等の方向性が決定されていた。
【発明が解決しようとする課題】
【０００３】上記、従来の技術で説明した欠点や問題課題を新規性のある構造の発明により解決する。
【課題を解決するための手段】
【０００４】  上記、従来の技術及び課題を解決する本発明は、複数本の貴金属を編み、その外径に沿って、貴金属を巻きつけ、さらに手作業により形状を整え、しなやかさと形状がなじむことを特徴とする構造により、解決する。
【発明の効果】
【０００５】  本発明の効果は、貴金属身飾品として、人間の首、胸元の斜度にも合わせることが、ネックレスで作れる。リングは指になじむ。
ブレスレットでは、手首になじむ、アンクレットでは、足首に人それぞれに形状がなじむ構造で、使用していて、途中で切れる事はない強度を有している貴金属身飾品を完成する事ができる。
従来の貴金属身飾品とはまったく違い、本発明により、貴金属だけで、しなやかで、形状が、人の部位になじむ特徴がある新規性がある貴金属身飾品を提供する事ができる。
消費者は、安全、安心をもって使用できる。
本発明の貴金属身飾品を例えば、１８金で作るとすると、全て１８金で作る事ができる事により、刻印の問題は解決され、消費者の価値的な考えが、改善できる。
【発明を実施するための最良の形態】
【０００６】  本発明の実施の形態を添付図面を参照しつつ説明する。
【実施例】
【０００７】  図１は貴金属だけで、しなやかで、人それぞれの身につける部位に形状がなじむ事を特徴とする貴金属身飾品の構造を示す。【０００８】図１の説明をする。本発明の側面図
符号１、複数本の貴金属の線材を編み、その外径に沿って、符号２の貴金属を巻きつけた図である。符号１は、線材の本数により図が変わり、説明しやすい様に、〔図１〕では符号２の貴金属を途中でとめた状態の図である。【０００９】図２の説明をする。本発明の構造の完成図の側面図
図１では、符号１の貴金属の線材を複数本、編んだ状態を見せているが、本発明の完成では符合１の部分は見えない。
要する本発明の構造の完成図では、貴金属の線材を複数本編んだ部分は、符号２の中に内在している。
そして、符合２を巻きつけ、さらに符合２の貴金属に手作業により整え、さらなるしなやかさと、人それぞれの身につける部位になじみ、人の肌にひっかからない、安心、安全な貴金属身飾品を完成することができる。【００１０】本発明の実施例を具体的に説明する。
図３は、本発明の構造で作ったネックレスを示す。
図３は、ネックレスを示しているが、ブレスレット、アンクレット等、留める金具の違いはありますが、本発明の構造は、同じで、形状は丸線に縄をツルツルにしたような見えかたとなる。
本発明の構造で完成したネックレスでは、人それぞれの首の太さ、首から胸部にかけての、斜度にも、しなやかで、形状がなじむ構造なので、そしてこの構造体は強度も強く、しなやかで、人それぞれ装着する部位になじみ、快適な装着感と安心、安全なネックレスを全て貴金属で提供できる。
ブレスレットは手首になじみ、アンクレットは、足首に人それぞれの身につける部位に本発明で作った身飾品は形状がなじむのである。【００１１】図４は、本発明の構造で作ったリングを示す。
図３と同様に形状は丸線で、縄をツルツルにしたような見えかたとなる。
本発明では、貴金属で全て作り、しなやかで、形状が身につける部位になじむ構造なので、指の形状にリングの形状もなじみ、ツルツルで肌にまったく、ひっかかりがないリングを完成し、提供できる。【００１２】  上記の本発明の貴金属身飾品は、スポーツ選手でも許可の出る種目では、快適に装着でき、安心、安全に使用できる。【００１３】  図５は、本発明の構造で作ったペンダント、ヘッドを示す。
符号３の貴金属で作った多種のデザイン形状、及び宝石等が入った貴金属に、本発明の構造の符号２をロー付して、さらに符号４をロー付すれば、符号２の部分は図５では右に曲がっているが、左や前後にも曲げられ、カーブも変えられる。
上記、本発明の構造で作った貴金属身飾品は従来の身飾品とは、まったく違う商品を完成させ、提供できる。
【産業上の利用可能性】
【００１４】本発明の構造は、貴金属で作っても、しなやかさと、形状がなじむ機能が有るため、身飾品以外でも、産業上の利用価値があり、更に応用できるものである。
例えば車のメーターの回りに本発明の形状がなじみ、指で触れてもツルツルしているので、飾りとして使える。
同様にドレスや靴の飾り等、応用にも優れた利用価値が高い発明である。
【図面の簡単な説明】
【００１５】
【図１】は、本発明に関わる、貴金属だけで、人それぞれ身につける部位に形状がなじむ事を特徴とする貴金属身飾品の構造を示す、側面図である。符号１は複数本の貴金属の線材を編みあげたことを示す。符号２は、符号１に貴金属を巻きつけている状態を示す。
【図２】は、図１の符号２の貴金属を巻きつけ、手作業により、形を整え、さらなるしなやかさと、肌に接してもツルツルの状態の完成図の側面図で、形状は丸線で、縄をツルツルにしたような見えかたとなる。
【図３】は、本発明の構造で作ったネックレスの正面図である。
【図４】は、本発明の構造で作ったリングの正面図である。
【図５】は、本発明の構造体、符号２を使ったペンダント、ヘッドの斜視図である。
【符号の説明】
【００１６】１．貴金属の線を複数本あむ。その状態。
２．符合１にさらに貴金属を巻きつけ、手作業により、形を整え、さらなるしなやかさと、肌にツルツルに接する状態を示す。
３．貴金属で作った多種のデザイン、及び宝石等。
４．貴金属で作ったチェーンやひもが入る部分。
【図１】
2018140146.tif 000003
【図２】
2018140146.tif 000004
【図３】
2018140146.tif 000005
【図４】
2018140146.tif 000006
【図５】
2018140146.tif 000007